(57)【要約】      （修正有）【課題】墓石を施工する際に、棹石などをクレーンで吊り下げて設置する際に、容易に棹石などの設置位置の位置決めを行うことができる墓石設置位置の位置決め装置を提供する。【解決手段】墓石を構成する第１の石材の上に第２の石材を設置する際に、第１の石材に対する第２の石材の水平方向の位置決めを行うための墓石設置位置の位置決め装置であって、第１の石材の側面に着脱可能に取り付けられる本体２と、該本体２の上部に前後方向にスライド可能に設けられたスライド体３と、該スライド体３を本体２に固定する固定装置４とを備え、スライド体３の前端には第２の石材の側面に当接する位置決め面１３が設けられている。【選択図】図１
0003155051.tif 000002
【実用新案登録請求の範囲】
【請求項１】
墓石を構成する第１の石材の上に第２の石材を設置する際に第１の石材に対する第２の石材の水平方向の位置決めを行うための墓石設置位置の位置決め装置であって、
第１の石材の側面に着脱可能に取り付けられる本体と、該本体の上部に前後方向にスライド可能に設けられたスライド体と、該スライド体を本体に固定する固定装置とを備え、スライド体の前端には第２の石材の側面に当接する位置決め面が設けられていることを特徴とする墓石設置位置の位置決め装置。
【請求項２】
本体は、第１の石材の上面に係合する係合面を有することを特徴とする請求項１に記載の墓石設置位置の位置決め装置。
【請求項３】
スライド体には、前記第１の石材の側面に対する位置決め面の水平方向距離を表示する目盛りが設けられていることを特徴とする請求項１又は２に記載の墓石設置位置の位置決め装置。
【請求項４】
本体は、第１の石材の側面に沿う垂直基準板と、該垂直基準板に取り付けられた複数の吸盤とを備え、該吸盤によって本体が第１の石材の側面に着脱可能に取り付けられることを特徴とする請求項１，２又は３に記載の墓石設置位置の位置決め装置。
【請求項５】
スライド体は、前後方向に長尺で且つ左右方向に離間して設けられた２本の長尺部材と、該２本の長尺部材の後端部を連結する後側桟部材と、該２本の長尺部材の前端部を連結する前側桟部材とを備え、前側桟部材の前側面に前記位置決め面が設けられていることを特徴とする請求項１〜４のいずれか１項に記載の墓石設置位置の位置決め装置。
【請求項６】
２本の長尺部材の左右内側面は、下側に至るにしたがって左右内方に傾斜する傾斜面とされ、前記固定装置は、２本の長尺部材の間に上方から嵌合されるくさび状部材と、該くさび状部材を本体に締結するボルトとを備えることを特徴とする請求項５に記載の墓石設置位置の位置決め装置。
【請求項７】
本体には、くさび状部材の左右側方で２本の長尺部材の左右外側面を抱持する受部が設けられていることを特徴とする請求項６に記載の墓石設置位置の位置決め装置。
【考案の詳細な説明】
【技術分野】
【０００１】
本考案は、墓石を施工する際に、墓石の墓碑となる棹石などの設置位置の位置決めを容易に行うための墓石設置位置の位置決め装置に関する。
【背景技術】
【０００２】
墓石は、土台となる下台（芝石）、該下台上に設置される上台、並びに、該上台上に設置される棹石（墓碑）などによって構成されている。かかる墓石を施工する際、墓石全体の外観を見栄えよくするためには、下台に対する上台の設置位置、並びに、上台に対する棹石の設置位置をある程度の寸法精度で位置決めすることが要求されるが、従来は、棹石をクレーンで吊り下げて上台上に大まかな位置に設置した後、ゴムハンマーなどを用いて設置位置の微調整を行っていた。
【０００３】
近年墓石にも耐震性能が求められ、墓石を構成するそれぞれの石の下面に耐震シートが貼り付けられることが多くなってきたが、このような耐震シートが貼り付けられていると、棹石を上台上に設置した後にハンマーで叩いても棹石を動かすことができない。
【考案の概要】
【考案が解決しようとする課題】
【０００４】
本考案は、上記問題点に鑑み、墓石を施工する際に、棹石などをクレーンで吊り下げて設置する際に、容易に棹石などの設置位置の位置決めを行うことができる位置決め装置を提供することを目的とする。
【課題を解決するための手段】
【０００５】
本考案は、上記目的を達成するため、墓石を構成する第１の石材の上に第２の石材を設置する際に第１の石材に対する第２の石材の水平方向の位置決めを行うための墓石設置位置の位置決め装置を提供する。ここで、墓石を構成する第１及び第２の石材は、典型的には上台と棹石であるが、上下に設置される任意の石材の設置に本考案装置を用いることが可能である。また、「水平方向」とは、第１の石材に対する第２の石材の前後方向であってもよく、また、左右方向であってもよい。
【０００６】
本考案装置は、第１の石材の側面に着脱可能に取り付けられる本体と、該本体の上部に前後方向にスライド可能に設けられたスライド体と、該スライド体を本体に固定する固定装置とを備え、スライド体の前端には第２の石材の側面に当接する位置決め面が設けられている。かかる本考案によれば、本体を第１の石材の側面に取り付け固定した後、第１の石材に対する第２の石材の設置位置にあわせてスライド体をスライドさせて、該スライド装置を固定装置によって固定しておくことによって、第２の石材をクレーン等により吊り下げて第１の石材上に設置する際に、スライド体の前端の位置決め面に第２の石材の側面を当接させることによって、容易かつ迅速に第２の石材の設置位置を位置決めすることができる。好ましくは、２つの本考案装置を用いて、第１の石材の左右一側と、第１の石材の前後一側の２カ所に本考案装置を取り付け固定しておくことによって、第２の石材を左右方向及び前後方向に位置決めすることができる。なお、請求の範囲において、本体に対するスライド体のスライド方向である「前後方向」は、本考案装置における前後をいうものであって、墓石の前後方向をいうものではない。
【０００７】
上記本考案において、本体は、第１の石材の上面に係合する係合面を有するものとすることができる。これによれば、第１の石材に対する取り付けを安定的に行うことができる。
【０００８】
また、スライド体には、前記第１の石材の側面に対する位置決め面の水平方向距離を表示する目盛りを設けておくことができる。さらに好ましくは、寸標記とメートル法標記の２つの目盛りを設けることができる。これによれば、メジャー等を用いる必要がなく、本考案装置のみで正確な位置決めを行うことができる。
【０００９】
また、本体は、第１の石材の側面に沿う垂直基準板と、該垂直基準板に取り付けられた複数の吸盤とを備え、該吸盤によって本体が第１の石材の側面に着脱可能に取り付けられるものとすることができる。これによれば、第１の石材に対する着脱を、第１の石材を傷付けることなく容易かつ迅速に行えるとともに、繰り返し使用における耐久性も良好なものとすることができる。
【００１０】
また、スライド体は、前後方向に長尺で且つ左右方向に離間して設けられた２本の長尺部材と、該２本の長尺部材の後端部を連結する後側桟部材と、該２本の長尺部材の前端部を連結する前側桟部材とを備え、前側桟部材の前側面に前記位置決め面が設けられているものとすることができる。これによれば、平行な２本の長尺部材によって長手方向の強度と軽量化とを図ることができる。
【００１１】
さらに、２本の長尺部材の左右内側面は、下側に至るにしたがって左右内方に傾斜する傾斜面とされ、前記固定装置は、２本の長尺部材の間に上方から嵌合されるくさび状部材と、該くさび状部材を本体に締結するボルトとを備えることができる。これによれば、ボルトを緩めることによってくさび状部材と長尺部材との摩擦抵抗がなくなり、長尺部材を前後方向にスライド可能になる。一方、ボルトを締めることによってくさび状部材とその左右両側の長尺部材との摩擦力が大きくなり、スライド体を本体に固定することができる。
【００１２】
さらに、本体には、くさび状部材の左右側方で２本の長尺部材の左右外側面を抱持する受部を設けるのが好ましい。これによれば、ボルトを締めたときに、くさび状部材の左右側面によって２本の長尺部材が左右外側方に押し広げられようとするが、上記受部によってこれを阻止し、より確実に固定することができるようになる。
【考案の効果】
【００１３】
本考案によれば、墓石を施工する際に、棹石などをクレーンで吊り下げて設置する際に、容易に棹石などの設置位置の位置決めを行うことができる。
【図面の簡単な説明】
【００１４】
【図１】図１は、本考案の一実施例に係る位置決め装置を示す全体斜視図である。
【図２】同位置決め装置の使用例を示す正面図である。
【考案を実施するための形態】
【００１５】
以下、本考案の好適な実施の形態を、図示実施例に基づいて説明する。
【００１６】
図１及び図２は、本考案の一実施例に係る位置決め装置１を示しており、該装置１は、例えば、図２に示す墓石２０の上台２１（第１の石材）の上に棹石２２（第２の石材）を設置する際に、上台２１に対する棹石２２の水平方向の位置決めを行うためのものである。
【００１７】
本実施例の位置決め装置１は、上台２１の側面に着脱可能に取り付けられる本体２と、該本体２の上部に前後方向にスライド可能に設けられたスライド体３と、該スライド体３を本体２に固定する固定装置４とを備えている。
【００１８】
本体２は、上台２１の側面に沿う方形板状の垂直基準板５と、該垂直基準板５に取り付けられた４つの吸盤６と、基準板５の上端面に取り付け固定された方形板状の水平基準板７と、該水平基準板７の上面に設けられたスライド体３の受部８とを備えている。なお、垂直基準板５と水平基準板７との接合部位のコーナー部には、Ｌ字状補強材９が接合されている。
【００１９】
吸盤６としては、ガラス施工用や石材施工用として市販されている適宜のものを用いることができ、好ましくは、裏面側に吸着及び離脱操作を行うためのレバー６ａが設けられているものを採用できる。
【００２０】
水平基準板７は、その前端が吸盤６よりも前方に突出されており、該突出部の下面が上台２１の上面に係合する係合面７ａとなされている。
【００２１】
受部８は、互いに対向する２つのＬ字状部材によって構成されている。
【００２２】
上記スライド体３は、前後方向に長尺で且つ左右方向に離間して平行に設けられた２本の長尺部材１０，１０と、該２本の長尺部材１０，１０の後端部を連結する後側桟部材１１と、該２本の長尺部材１０，１０の前端部を連結する前側桟部材１２とを備え、前側桟部材１２の前側面が、棹石２２の側面に当接する位置決め面１３とされている。なお、長尺部材１０及び両桟部材１１，１２は、角材によって構成されている。
【００２３】
２本の長尺部材１０，１０の左右内側面１０ａ，１０ａは、下側に至るにしたがって左右内方に傾斜する傾斜面とされている。また、一方の長尺部材１０の上面には、上台２１に対する位置決め面１３の水平方向距離を表示するための寸表記の目盛り１６が刻設されているとともに、他方の長尺部材１０の上面には、上台２１に対する位置決め面１３の水平方向距離を表示するためのメートル法表記の目盛り１７が刻設されている。
【００２４】
上記固定装置４は、２本の長尺部材１０，１０の間に上方から嵌合される断面台形のくさび状部材１４と、該くさび状部材１４を本体２に締結するボルト１５とを備えている。くさび状部材１４の左右両側面は、２本の長尺部材１０，１０の内側面１０ａ，１０ａに適合する傾斜面とされており、ボルト１５を締結することによってくさび状部材１４を２本の長尺部材１０，１０の内側面に押圧させ、これによりスライド体３を本体２に固定できるようになっている。なお、ボルト１５の頭部には、手で容易に締結解除操作を行えるように操作片が設けられている。
【００２５】
上記本体の受部８は、くさび状部材１４の左右側方で２本の長尺部材１０，１０の左右外側面を抱持するようになっている。
【００２６】
本発明は、上記実施例に限定されるものではなく、適宜設計変更できる。
【符号の説明】
【００２７】
１    位置決め装置
２    本体
３    スライド体
４    固定装置
５    垂直基準板
６    吸盤
７    水平基準板
７ａ  係合面
８    受部
１０    長尺部材
１１    後側桟部材
１２    前側桟部材
１３    位置決め面
１４    くさび状部材
１５    ボルト
【図１】
0003155051.tif 000003
【図２】
0003155051.tif 000004